(57)【特許請求の範囲】
【請求項１】
呼出手段および通話手段を有する子機端末と、前記子機端末に接続され通信回線を介して外部の通信端末に接続される親機端末とを備えた転送機能付きインターホン装置であって、
前記親機端末は、
予め登録した通信端末に自動発呼する自動発呼手段と、ダイヤルトーンを検出する発信音検出手段と、リングバンクトーンを検出する呼出音検出手段と、ビジートーンを検出する話中音検出手段と、計時手段と、来訪者がある旨のメッセージを記憶するメッセージ記憶手段と、前記通信端末からの応答を検出する応答検出手段と、前記通信端末のダイヤルボタンが操作されたことを検出するダイヤルボタン操作検出手段と、転送モード時に前記子機端末から呼出信号を受信すると前記自動発呼手段を制御して前記通信端末を呼び出し前記子機端末と接続する制御手段とを備え、
前記制御手段は、前記自動発呼手段を制御して前記発信音検出手段によりダイヤルトーンを検出すると前記通信端末を呼び出し、前記呼出音検出手段によりリングバックトーンを検出すると前記計時手段により計時を開始し、前記計時手段による計時が第１の所定時間内において前記応答検出手段で前記通信端末からの応答を検出した場合には、前記計時手段により計時を新たに開始し、前記通信端末に対して前記メッセージ記憶手段から来訪者がある旨のメッセージを読み出して送信し、前記計時手段による計時が第２の所定時間内において前記ダイヤルボタン操作検出手段で前記通信端末のダイヤルボタンが操作されたことを検出すると前記通信端末および前記子機端末間を接続し、前記話中音検出手段によりビジートーンを検出した場合、前記計時手段による計時が第１の所定時間を経過しても前記応答検出手段で前記通信端末からの応答を検出できない場合、および前記計時手段による計時が第２の所定時間を経過しても前記ダイヤルボタン操作検出手段で前記通信端末のダイヤルボタンが操作されたことを検出できない場合には、前記通信端末との接続を切断することを特徴とする転送機能付きインターホン装置。
【発明の詳細な説明】
【０００１】
【発明の属する技術分野】
本発明は、例えば住戸の玄関などに設置したインターホンの子機端末からの呼び出しを、住戸内に設置したインターホンの親機端末によって受信し、所定の条件のもとで外部の通信端末に転送する転送機能付きインターホン装置に関するものである。
【０００２】
【従来の技術】
従来から、住戸の玄関などにスピーカおよびマイクロフォンからなる通話装置を有する子機端末を設置し、住戸内に同じくスピーカおよびマイクロフォンからなる通話装置を有する親機端末を設置し、両端末を専用線を介して接続したインターホン装置が知られている。
【０００３】
このインターホン装置は、来訪者が子機端末の呼出ボタンを押すと、親機端末の呼出チャイムが鳴動し、それに応えて住人が親機端末の通話装置で応答することにより、子機端末の通話装置と親機端末の通話装置との間で音声による通話が行えるように構成されたものである。
【０００４】
また、子機端末にテレビカメラを設け、親機端末にモニタテレビを設け、テレビカメラで撮像した来訪者の姿をモニタテレビに写し出し、その様子を住人が確認することで防犯機能を高めた装置も提案されている。
【０００５】
また、住人が外出中のときに子機端末から呼び出しがあると、親機端末が予め登録した通信端末（外出先の電話機または携帯電話など）を自動発呼し、子機端末と通信端末とを接続することで来訪者と外出先の住人とがリアルタイムでコミュニケーションが取れるようにした転送機能付きのインターホン装置も提案されている（例えば、特開平６−１６４７４６号公報）。
【０００６】
【発明が解決しようとする課題】
従来の転送機能付きのインターホン装置は、転送モードが設定されているときに子機端末から呼び出しを受けると、親機端末が予め登録した外部の通信端末を自動発呼し、子機端末と通信端末との間に通話路を形成するものである。
【０００７】
しかし、通信端末が留守番電話にセットされている場合や、通信端末が携帯電話であって通話圏外にいる場合は、各々その旨のメッセージが通信端末から子機端末に伝送されてしまい、来訪者に留守であることをわざわざ告げることになってしまうという不都合があった。
【０００８】
本発明は、このような従来の課題を解決するためになされたもので、子機端末から呼出信号を受信した親機端末が外部の通信端末に転送する際に、通信端末が留守番電話にセットされている場合や通話圏外にいる場合に、子機端末と通信端末との間に通話路を形成することのない転送機能付きインターホン装置を提供することを目的とする。
【０００９】
【課題を解決するための手段】
本発明の転送機能付きインターホン装置は、呼出手段および通話手段を有する子機端末と、子機端末に接続され通信回線を介して外部の通信端末に接続される親機端末とを備え、親機端末は、予め登録した通信端末に自動発呼する自動発呼手段と、ダイヤルトーンを検出する発信音検出手段と、リングバンクトーンを検出する呼出音検出手段と、ビジートーンを検出する話中音検出手段と、計時手段と、来訪者がある旨のメッセージを記憶するメッセージ記憶手段と、通信端末からの応答を検出する応答検出手段と、通信端末のダイヤルボタンが操作されたことを検出するダイヤルボタン操作検出手段と、転送モード時に子機端末から呼出信号を受信すると自動発呼手段を制御して通信端末を呼び出し子機端末と接続する制御手段とを備え、制御手段は、自動発呼手段を制御して発信音検出手段によりダイヤルトーンを検出すると通信端末を呼び出し、呼出音検出手段によりリングバックトーンを検出すると計時手段により計時を開始し、計時手段による計時が第１の所定時間内において応答検出手段で通信端末からの応答を検出した場合には、計時手段により計時を新たに開始し、通信端末に対してメッセージ記憶手段から来訪者がある旨のメッセージを読み出して送信し、計時手段による計時が第２の所定時間内においてダイヤルボタン操作検出手段で通信端末のダイヤルボタンが操作されたことを検出すると通信端末および子機端末間を接続し、話中音検出手段によりビジートーンを検出した場合、計時手段による計時が第１の所定時間を経過しても応答検出手段で通信端末からの応答を検出できない場合、および計時手段による計時が第２の所定時間を経過してもダイヤルボタン操作検出手段で通信端末のダイヤルボタンが操作されたことを検出できない場合には、通信端末との接続を切断するものである。
【００１０】
この構成により、親機端末は転送モード時に子機端末から呼び出しを受けると自動発呼手段で転送先の通信端末を自動発呼してメッセージを送信し、通信端末から応答を検出した後に通信端末のダイヤルボタンが操作されたことを検出することで子機端末と通信端末を接続し、通信端末の話中や所定時間内に応答が無い場合および応答後のダイヤル操作が無い場合には通信端末との接続を自動的に切断して転送処理を終了する。従って、通信端末が留守番電話にセットされている場合や、通信端末が携帯電話であって通信圏外にいる場合に、その旨のメッセージが通信端末から子機端末に伝送されるのを防止できることになる。
【００１３】
【発明の実施の形態】
以下、本発明の実施の形態について、図１から図２を用いて説明する。
【００１４】
図１は、本発明の実施の形態１における転送機能付きインターホン装置の構成を示すブロック図である。この装置は、住戸の玄関または門柱などに設置される子機端末１と、住戸内に設置される親機端末２と、これら両端末を結ぶ専用線３とからなり、親機端末２は電話網４および図示せぬ交換機を介して通信端末５に接続されている。
【００１５】
子機端末１はスピーカおよびマイクロフォンを有する通話装置１１と、呼出ボタン１２とを備えている。また、通信端末５はスピーカおよびマイクロフォンを有する通話装置５１と、相手先の電話番号を入力したり各種の制御操作を行うダイヤルボタン５２とを備えている。
【００１６】
また、親機端末２は制御手段を構成する制御装置２１と、制御装置２１を専用線３に接続する子機接続回路２２と、制御装置２１を電話網４に接続する電話網インタフェース（Ｉ／Ｆ）２３とを備えている。
【００１７】
さらに、親機端末２はスピーカおよびマイクロフォンを有する通話装置２４、相手先の電話番号の入力および各種の制御操作を行うダイヤルボタン２５、子機端末１と予め登録した通信端末５との接続を指令する転送設定ボタン２６、呼出チャイム音等の各種報知音を出力する報知機２７、通信端末５に自動発呼する自動発呼回路２８、転送先の通信端末５の加入者番号を記憶する番号メモリ２９、計時回路３０、音声メッセージが記憶されたメッセージ記憶回路３１を備えている。
【００１８】
また、電話網Ｉ／Ｆ２３内には、交換機から送られてくる発信音（ダイヤルトーン）を検出する発信音検出回路２３ａ、通信端末５が話中であることを表すビジートーンを検出する話中音検出回路２３ｂ、通信端末５が呼び出し中であることを表すリングバックトーンを検出する呼出音検出回路２３ｃ、通信端末５が応答したことを検出する応答検出回路２３ｄ、通信端末５のダイヤルボタン５１が操作されたことを検出するダイヤルボタン操作検出手段としてのＤＴＭＦ（Dial Tone Multi Frequency ）検出回路２３ｅが含まれている。
【００１９】
次に、本実施の形態の動作について、まず、転送設定ボタン２６が非転送モードに設定されている場合の動作について説明する。
【００２０】
この場合は、来訪者が子機端末１の呼出ボタン１２を押すと、その呼出信号が専用線３を介して親機端末２の子機接続回路２２に送信される。制御装置２１は子機接続回路２２から呼出信号を受けると、報知機２７を制御して呼出チャイム音を鳴動させる。
【００２１】
呼出チャイム音に応えて住人が通話装置２４で応答すると、子機端末１の通話装置１１と親機端末２の通話装置２４とが接続され、両装置間で音声による通話が可能となる。
【００２２】
次に、図２に示すフローチャート図を参照しながら、転送設定ボタン２６が転送モードに設定されている場合の動作について説明する。
【００２３】
まず、来訪者が子機端末１の呼出ボタン１２を押すと、制御装置２１は専用線３および子機接続回路２２を介して呼出信号を受信し（ステップＳ１）、報知機２７を制御して呼出チャイム音を鳴動させる。
【００２４】
また、制御装置２１は電話網Ｉ／Ｆ２３を介して電話網４に接続されている図示せぬ交換機に対し起呼処理をする（ステップＳ２）。その結果、発信音検出回路２３ａでダイヤルトーンを検出すると、制御装置２１は番号メモリ２９に登録されている通信端末５の加入者番号を読み出し（ステップＳ３）、自動発呼回路２８を制御してダイヤル信号を電話網Ｉ／Ｆ２３から交換機に送出する（ステップＳ４）。
【００２５】
その結果、呼出音検出回路２３ｃでリングバックトーンを検出すると、制御装置２１は通信端末５が話中でないと判断し（ステップＳ５）、さらに応答検出回路２３ｄで通信端末５からの応答を検出すると（ステップＳ６）、メッセージ記憶回路３１から来訪者がある旨のメッセージを読み出して転送先の通信端末５に音声で通知する（ステップＳ７）。
【００２６】
その後、ＤＴＭＦ検出回路２３ｅで通信端末５のダイヤルボタン５２が操作されたことを検出すると（ステップＳ８）、制御装置２１は子機接続回路２２および電話網Ｉ／Ｆ２３を接続して通話路を形成する（ステップＳ９）。この結果、子機端末１の通話装置１１と通信端末５の通話装置５１とが接続され音声による通話が可能となる。
【００２７】
次いで、制御装置２１は通信端末５の通話装置５１が通話を終了したことを検出すると（ステップＳ１０）、電話網Ｉ／Ｆ２３を制御して通信端末５との接続を切断し、さらに子機接続回路２２と電話網Ｉ／Ｆ２３との接続を切断し（ステップＳ１１）、転送処理を終了する。
【００２８】
また、ステップＳ５において、話中音検出回路２３ｂでビジートーンを検出すると、制御装置２１は通信端末５が話中であると判断し、通話端末５との接続を切断して（ステップＳ１１）、転送処理を終了する。
【００２９】
また、ステップＳ６において、制御装置２１は呼出音検出回路２３ｃでリンクバックトーンを検出してから計時回路３０で一定時間を計数し、その間に応答検出回路２３ｄで通信端末５からの応答を検出できなければ（ステップＳ１２）、話中の場合と同様に通話端末５との接続を切断し（ステップＳ１１）、転送処理を終了する。
【００３０】
さらに、ステップＳ８において、制御装置２１は応答検出回路２３ｄで通信端末５の応答を検出してから計時回路３０で一定時間を計数し、その間にＤＴＭＦ検出回路２３ｅで通信端末５のダイヤルボタン５２が操作されたことを検出できない場合は（ステップＳ１３）、話中の場合と同様に通話端末５との接続を切断し（ステップＳ１１）、転送処理を終了する。
【００３１】
なお、前述の実施の形態では、制御装置２１は通信端末５のダイヤルボタン５２が操作されたことを検出して通話路を形成するようにしたが、ダイヤルボタン５２の操作によって子機端末１の呼び出しに応答するか否か、すなわち子機端末１と接続するか否かを選択するようにしてもよい。その結果、子機端末１の呼び出しに応答する場合は、子機接続回路２２および電話網Ｉ／Ｆ２３を接続して通話路を形成し（ステップＳ９）、応答しない場合は通話端末５との接続を切断する（ステップＳ１１）。
【００３２】
また、前述の実施の形態では、親機端末２が子機端末１との接続機能および通信端末５への転送機能の両機能を有する場合について説明したが、各機能をそれぞれ別体の装置に持たせ、例えば子機端末との接続機能は本体装置に、通信端末への転送機能は転送装置に持たせ、両装置を結合することで接続機能および転送機能を有する親機端末を構成するようにしてもよい。
【００３３】
【発明の効果】
以上のように本発明によれば、親機端末は転送モード時に子機端末から呼び出しを受けると、自動発呼手段で転送先の通信端末を自動発呼し、通信端末から応答を検出した後、さらに通信端末のダイヤルボタンが操作されたことを検出することで子機端末と通信端末とを接続するので、通信端末が留守番電話にセットされている場合や、通信端末が携帯電話であって通話圏外にいる場合に、その旨のメッセージが通信端末から子機端末に伝送されるのを防止することができる転送機能付きインターホン装置を提供することができるものである。
【図面の簡単な説明】
【図１】  本発明の実施の形態１における転送機能付きインターホン装置の構成を示すブロック図
【図２】図１に示す転送機能付きインターホン装置の動作を説明するためのフローチャート図
【符号の説明】
１  子機端末
２  親機端末
３  専用線
４  電話網
５  通信端末
１１  通話装置
１２  呼出ボタン
２１  制御装置
２２  子機接続回路
２３  電話網Ｉ／Ｆ
２３ａ  発信音検出回路
２３ｂ  話中音検出回路
２３ｃ  呼出音検出回路
２３ｄ  応答検出回路
２３ｅ  ＤＴＭＦ検出回路
２４  通話装置
２５  ダイヤルボタン
２６  転送設定ボタン
２７  報知機
２８  自動発呼回路
２９  番号メモリ
３０  計時回路
３１  メッセージ記憶回路
５１  通話装置
５２  ダイヤルボタン
【図１】
0004197076.tif 000002
【図２】
0004197076.tif 000003